(57)【要約】【課題】  ボタン孔に差込み易いボタンを提供する。【解決手段】  吊下げ部によって支持されて、ボタン孔に掛け止めされるボタンであって、細長状に形成されるものである。【選択図】    図１
2006158826.tif 000002
【特許請求の範囲】
【請求項１】
支持部によって吊下げられて、ボタン孔に掛け止めされるボタンであって、
細長状に形成したことを特徴とするボタン。
【発明の詳細な説明】
【技術分野】
【０００１】
本発明は、ボタン孔に容易に差込んで容易に掛け止めできるボタンに関するものである。
【背景技術】
【０００２】
図１１に示すように、一般のボタン１００は略円形に形成されて、衣服の前身ごろの一方の前合わせ部分１０１に逢着されている。又、前身ごろの他方の前合わせ部分１０２には、ボタン孔１０３が形成されている。そして、左右両方の前合わせ部分１０１，１０２をボタン１００で止める場合には、ボタン１００を摘み、ボタン１００をボタン孔１０３に差込んで掛け止めする。
【発明の開示】
【発明が解決しようとする課題】
【０００３】
しかし、従来技術においては、ボタン１００が小型であるため、ボタン１００を摘み難い上に、ボタン１００とボタン孔１０３とが略同じ大きさのため、特に、年配者等の場合には、ボタン１００をボタン孔１０３に差込んで掛け止めし難く、補助者の補助が無ければ、衣服の左右の前合わせ部分１０１，１０２をボタン１００で掛け止めすることが困難であるという問題があった。
【０００４】
そこで、本発明は、前記従来技術の問題点に鑑みてなされたもので、ボタン孔に差込み易いボタンを提供することを目的とするものである。
【課題を解決するための手段】
【０００５】
請求項１に記載の発明は、吊下げ部によって支持されて、ボタン孔に掛け止めされるボタンであって、細長状に形成されたものである。
【発明の効果】
【０００６】
請求項１に記載の発明においては、ボタンの後端部側を摘み、先端部側からボタン孔に容易に差込んで、容易に掛け止めすることができる。
【発明を実施するための最良の形態】
【０００７】
図１乃至図３は、本発明に係るボタン１の第1実施形態を示す。図1はボタン１の正面図を示し、図２は、右側の前合わせ部分１０１を左側の前合わせ部分１０２の下側に位置した状態で、右側の前合わせ部分１０１に取付けられたボタン１の先端部３側を、左側の前合わせ部分１０２に設けられたボタン孔２に差し込む様子を示し、図３はボタン１をボタン孔２に掛け止めした状態を示す。
【０００８】
ボタン１は細長状に形成されている。この第1実施形態のボタン１は、先端部３側が先細状になって、全体として勾玉形に形成されている。ボタン１の中央には、ボタン１を右側の前合わせ部分１０１の布地に吊下げ支持するための紐４が挿通する逢着孔５が形成されている。紐４が、請求項1の支持部に該当するものである。又、ボタン１には、装飾部６が設けられ、装飾部６には植物柄、動物柄、幾何学柄，家紋等の各種の柄が設けられるようになっている。
【０００９】
次に、このように構成されたボタン１の使用について説明する。先ず、図２及び図３に示すように、左側の前合わせ部分１０２の所定位置にボタン孔２が予め形成されているとする。次に、ボタン１の逢着孔５に紐４を挿通し、この紐４を右側の前合わせ部分１０１の布地に逢着することにより、ボタン１を右側の前合わせ部分１０１の所定位置に取り付ける。
【００１０】
そして、ボタン１をボタン孔２に差し込むに際しては、ボタン１の後端部側を摘んだ状態で、ボタン１の先端部３側をボタン孔２に宛がった後、図２に示すように、ボタン１の先端部３側をボタン孔２に押し込むことにより、ボタン１をボタン孔２に通す。図３に示すように、ボタン１がボタン孔２を通過した状態においては、ボタン１がボタン孔２に掛け止めされて、ボタン１はボタン孔２から抜け止めされる。
【００１１】
このように構成された第１実施形態においては、ボタン１の先端部３側が先細状に形成されているため、年配者や子供等であっても、ボタン１を先端部３側からボタン孔２に容易に通過させることができて、ボタン１をボタン孔２に容易に掛け止めすることができる。又、ボタン１自体の形状が勾玉形であるために、ボタン１自体が装飾効果やファッション性を奏することができる上に、ボタン１には装飾部６が設けられているため、ボタン１がボタン孔２に掛け止めされた状態においては、ボタン１は装飾具としての機能を果たすことができる。
【００１２】
図４は、第２実施形態を示す。この第２実施形態においては、ボタン１１を三日月形に形成した点に特徴を有する。この第２実施形態においては、ボタン１１の後端部１２側を摘み、先端部１３側からボタン孔に容易に差し込むことができるものである。
【００１３】
この第２実施形態のボタン１１は、前述の第1実施形態と同様に、先端部１３が先細状に形成されているため、ボタン１１をボタン孔に容易に差込みして掛け止めできる上に、ボタン１１自体が三日月形に形成されているため、ボタン１１自体が装飾具として機能することができる。
【００１４】
図５は、第３実施形態を示す。ボタン１４を鉛筆形に形成した点に特徴を有する。この第３実施形態においては、後端部１５を摘み、先細状の先端部１６からボタン孔に容易に差込むことができる。ボタン１４をこのように鉛筆形に形成しても、ボタン１４を先細状の先端部１６からボタン孔に容易に差し込むことにより、ボタン１４をボタン孔に容易に差し込んで掛け止めできる上に、ボタン１４自体が鉛筆形のため、ボタン１４自体が装飾具としての効果を奏することができる。
【００１５】
図６は第４実施形態を示す。この第４実施形態の特徴は、ボタン１７をやじり形に形成したものである。このように形成した第４実施形態のボタン１７においては、後端部１８側を摘み、先細状の先端部１９側からボタン孔に差込んで、ボタン孔に掛け止めすることができる。この第４実施形態においても、第１実施形態と同様の作用効果を奏する。
【００１６】
図７は第５実施形態を示す。この第５実施形態の特徴は、ボタン２０をロケット形に形成したものである。このように、ボタン２０をロケット形に形成した場合、後端部２１側を把持し、先端部２２側からボタン孔に容易に差込んで、ボタン孔に容易に掛け止めすることができる。この第５実施形態においても、第１実施形態と同様の作用効果を奏する。
【００１７】
図８は第６実施形態を示す。この第６実施形態の特徴は、ボタン２３をリボン形に形成したものである。このように、ボタン２３をリボン形に形成した場合、後端部２４を把持し、先端部２５側からボタン孔に容易に差込んで、ボタン孔に容易に掛け止めすることができる。この第６実施形態においても、第１実施形態と同様の作用効果を奏する。
【００１８】
図９は第７実施形態を示す。この第７実施形態の特徴は、ボタン２６をサカナ形に形成したものである。このように、ボタン２６をサカナ形に形成した場合、後端部２７を把持し、先端部２８側からボタン孔に容易に差込んで、ボタン孔に容易に掛け止めすることができる。この第７実施形態においても、第１実施形態と同様の作用効果を奏する。
【００１９】
図１０は第８実施形態を示す。この第８実施形態の特徴は、ボタン２９をメダカ形に形成したものである。このように、ボタン２９をメダカ形に形成した場合、後端部３０を把持し、先端部３１側からボタン孔に容易に差込んで、ボタン孔に容易に掛け止めすることができる。この第８実施形態においても、第１実施形態と同様の作用効果を奏する。
【図面の簡単な説明】
【００２０】
【図１】ボタンの正面図である。（第１実施形態）
【図２】ボタンの先端部側をボタン孔に差込んだ状態の正面図である。（第１実施形態）
【図３】ボタンをボタン孔に掛け止めした状態の正面図である。（第１実施形態）
【図４】ボタンの正面図である。（第２実施形態）
【図５】ボタンの正面図である。（第３実施形態）
【図６】ボタンの正面図である。（第４実施形態）
【図７】ボタンの正面図である。（第５実施形態）
【図８】ボタンの正面図である。（第６実施形態）
【図９】ボタンの正面図である。（第７実施形態）
【図１０】ボタンの正面図である。（第８実施形態）
【図１１】ボタン及びボタン孔を示す図面である。（従来技術）
【符号の説明】
【００２１】
１，１１，１４，１７，２０，２３，２６，２９  ボタン
【図１】
2006158826.tif 000003
【図２】
2006158826.tif 000004
【図３】
2006158826.tif 000005
【図４】
2006158826.tif 000006
【図５】
2006158826.tif 000007
【図６】
2006158826.tif 000008
【図７】
2006158826.tif 000009
【図８】
2006158826.tif 000010
【図９】
2006158826.tif 000011
【図１０】
2006158826.tif 000012
【図１１】
2006158826.tif 000013